(57)【要約】【課題】可動トラップの下流端とハウジングの内面との間に汚物が挟まり難い便器装置を提供する。【解決手段】可動トラップ３の下流端３１は、ボウル部２内への溜水を可能とする上位置６０および排水を可能とする下位置６４と、その間の所定の軌跡６上を移動可能である。可動トラップ３を収容するハウジング４の内面４０は、所定の軌跡６のうちの上位置６０を含む第一軌跡範囲６１と対向する第一内面範囲４１において、第一隙間７１を有し、第一軌跡範囲６１と連続する第二軌跡範囲６２に沿って第二軌跡範囲６２と対向する第二内面範囲４２において、第二隙間７２を有する。第二距離範囲は、ボウル部２内の所定の大きさ以上の汚物の通過を抑制する上限値を有する。【選択図】図６
2016098632.tif 000002
【特許請求の範囲】
【請求項１】
ボウル部と、
排出口が設けられる下流端が上下移動可能となり上流端にて前記ボウル部内と連通する可動トラップと、
前記可動トラップを収容するハウジングと、を備え、
前記可動トラップの前記下流端は、前記ボウル部内への溜水を可能とする上位置と、前記ボウル部内からの排水を可能とする下位置と、前記上位置と前記下位置との間で連続する中間位置と、に亘る所定の軌跡上を移動可能であり、
前記ハウジングの内面は、前記所定の軌跡のうちの前記上位置を含む第一軌跡範囲と対向する第一内面範囲において、前記第一軌跡範囲との距離が第一距離範囲内となる第一隙間を有し、
前記ハウジングの内面は、前記所定の軌跡のうちの前記第一軌跡範囲と連続する第二軌跡範囲に沿って前記第二軌跡範囲と対向する第二内面範囲において、前記第二軌跡範囲との距離が第二距離範囲内となる第二隙間を有し、
前記第二距離範囲は、前記ボウル部内の所定の大きさ以上の汚物の通過を抑制する上限値を有することを特徴とする便器装置。
【請求項２】
前記第一距離範囲は、前記第二距離範囲の上限値よりも大きい範囲であることを特徴とする請求項１記載の便器装置。
【発明の詳細な説明】
【技術分野】
【０００１】
本発明は、可動トラップを備えた便器装置に関する。
【背景技術】
【０００２】
従来より、可動トラップを備えた便器装置が知られている（例えば特許文献１参照）。特許文献１に示される便器装置は、上流端にてボウル部内と連通し、排出口が設けられる下流端が上下移動可能となる可動トラップと、可動トラップを収容するハウジングと、を備えている。
【０００３】
可動トラップの下流端は、所定の軌跡上を移動可能となっており、上位置に位置する状態でボウル部内への溜水が可能であり、下位置に位置する状態でボウル部内からの排水が可能である。
【０００４】
このような特許文献１に示される便器装置は、当初、可動トラップの下流端に設けられた排出口からの水や汚物の排出が妨げられないように、可動トラップの下流端が描く所定の軌跡とハウジングの内面との間の隙間の大きさが充分にとられていた。
【０００５】
便器装置は、設置スペースの制約を受けることから、小型化が望まれている。そこで、上記便器装置に対して、可動トラップの下流端が描く所定の軌跡とハウジングの内面との間の隙間が小さくされたものが開発された。
【先行技術文献】
【特許文献】
【０００６】
【特許文献１】特開２００８−２９１６１１号公報
【発明の概要】
【発明が解決しようとする課題】
【０００７】
しかしながら、この場合、新たな問題が生じた。すなわち、可動トラップの下流端が描く所定の軌跡とハウジングの内面との間の隙間が小さくなると、可動トラップの下流端とハウジングの内面との間に汚物が挟まってしまう惧れがある。
【０００８】
本発明は上記従来の問題点に鑑みて発明したものであって、可動トラップの下流端とハウジングの内面との間に汚物が挟まり難い便器装置を提供することにある。
【課題を解決するための手段】
【０００９】
本発明に係る便器装置は、ボウル部と、排出口が設けられる下流端が上下移動可能となり上流端にて前記ボウル部内と連通する可動トラップと、前記可動トラップを収容するハウジングと、を備え、前記可動トラップの前記下流端は、前記ボウル部内への溜水を可能とする上位置と、前記ボウル部内からの排水を可能とする下位置と、前記上位置と前記下位置との間で連続する中間位置と、に亘る所定の軌跡上を移動可能であり、前記ハウジングの内面は、前記所定の軌跡のうちの前記上位置を含む第一軌跡範囲と対向する第一内面範囲において、前記第一軌跡範囲との距離が第一距離範囲内となる第一隙間を有し、前記ハウジングの内面は、前記所定の軌跡のうちの前記第一軌跡範囲と連続する第二軌跡範囲に沿って前記第二軌跡範囲と対向する第二内面範囲において、前記第二軌跡範囲との距離が第二距離範囲内となる第二隙間を有し、前記第二距離範囲は、前記ボウル部内の所定の大きさ以上の汚物の通過を抑制する上限値を有することを特徴とする。
【００１０】
また、前記第一距離範囲は、前記第二距離範囲の上限値よりも大きい範囲であることが好ましい。
【発明の効果】
【００１１】
本発明にあっては、ハウジングの内面により所定の大きさ以上の汚物の通過が抑制されて、可動トラップの下流端とハウジングの内面との間に汚物が挟まり難い。
【図面の簡単な説明】
【００１２】
【図１】第一実施形態において可動トラップの下流端が上位置に位置する場合の便器装置の縦断面図である。
【図２】第一実施形態におけるケーシングの下部（スカート部、サイドカバーおよびリアカバー）を除く便器装置の斜視図である。
【図３】第一実施形態におけるハウジングの斜視図である。
【図４】第一実施形態における便器装置の斜視図である。
【図５】第一実施形態において可動トラップの下流端が下位置に位置する場合の便器装置の縦断面図である。
【図６】第一実施形態における可動トラップとハウジングの位置関係を説明する断面図である。
【図７】第二隙間が大きい場合の可動トラップとハウジングの位置関係を説明する断面図である。
【発明を実施するための形態】
【００１３】
以下、本発明の第一実施形態について、添付図面に基いて説明する。まず、便器装置の基本的な構成について説明する。
【００１４】
便器装置１は、図１に示すように、ボウル部２と、可動トラップ３と、ハウジング４と、を備える。
【００１５】
ボウル部２は、平面視楕円形状や円形状等、洗浄水が環状に流れ易い形状に形成されるのが好ましいが、形状は限定されない。また、ボウル部２は、合成樹脂や陶器をはじめとする様々な材質で形成可能であり、材質は特に限定されない。ボウル部２の上部には、ボウル部２内に向けて洗浄水を吐出する洗浄水吐出口（不図示）が設けられる。第一実施形態では、ボウル部２の上部の後部の左右のいずれかに片寄った位置に洗浄水吐出口が設けられている。ここで、前方Ｆとは、図１に示すように、ボウル部２上に載置される便座（不図示）に着座した使用者が向く方向をいい、その反対方向を後方Ｂとする。また、左方Ｌおよび右方Ｒは、前方Ｆを向いたときの左右をそれぞれいうものとする（図４参照）。
【００１６】
また、図１に示すように、ボウル部２の下部には、排出口２１が設けられる。第一実施形態では、ボウル部２の排出口２１に排出筒２２が接続されており、この排出筒２２の下流端３１の開口２３が、ボウル部２の実質的な排出口となっている。なお、このような排出筒２２は特に設けられなくてもよい。
【００１７】
可動トラップ３は、図１に示すように、筒状をしたもので、上流端がボウル部２の排出口（すなわち排出筒２２の開口２３）に接続されている。これにより、可動トラップ３の上流端に設けられる流入口を介して、可動トラップ３内とボウル部２内とが連通する。可動トラップ３の下流端３１に、排出口３０が設けられる。可動トラップ３は、下流端３１（排出口３０）が上下移動可能となるように設けられる。
【００１８】
可動トラップ３は、変形性を有し且つ通水性を有しない材料にて、伸縮可能に形成されてもよく、このような材料により蛇腹状に形成されてもよいし、蛇腹状に形成されなくてもよい。また、可動トラップ３が伸縮し難い材料により形成されてもよく、形状や材質は特に限定されない。
【００１９】
ハウジング４は、可動トラップ３を収容する。第一実施形態では、ハウジング４は、図１〜図３に示すように、ボウル部２側の側壁に、可動トラップ３の上流端が挿通される上流開口４ａが設けられる。ハウジング４は、図１、図２に示すように、下方に向けて開口する下流開口４ｂが設けられる。
【００２０】
第一実施形態では、可動トラップ３の下流端３１は、駆動部５により上下移動される。駆動部５は、図２、図３に示すように、モータをはじめとする動力を発生させる駆動源５１と、駆動源５１で生じる動力により可動トラップ３の下流端３１を上下移動させる動力伝達部５２と、を備える。駆動部５は、駆動源５１としてのモータの出力軸に、動力伝達部５２としてのアーム（不図示）が連結され、アームの回転により、可動トラップ３の下流端３１が上下移動する。また、図２、図３に示すように、駆動源５１への給電が行われない時に手動で可動トラップ３の下流端３１が上下移動可能なように、手動操作部５３と、切替部（不図示）とを備えている。切替部は、駆動源５１からの動力を可動トラップ３の下流端３１に伝達して手動操作部５３からの動力の伝達を遮断するモードと、手動操作部５３からの動力を可動トラップ３の下流端３１に伝達して駆動源５１からの動力の伝達を遮断するモードと、を切り替える。なお、駆動部５はこのような構成に限定されない。
【００２１】
第一実施形態では、駆動部５は、制御部（不図示）により駆動が制御される。制御部は、マイクロコンピュータを備え、ＲＯＭ（Read Only Memory）等の記憶部に記憶された制御プログラムを実行することで、駆動部５の制御を行うもので、後述する。
【００２２】
第一実施形態では、便器装置１はさらに、ボウル部２へ洗浄水を供給する洗浄水供給部を備えている。洗浄水供給部は、図示しないが、管等からなる給水路と、給水路の途中に設けられる開閉弁と備える。給水路は、上流端が水源に接続され、下流端３１に設けられるノズルがボウル部２の洗浄水吐出口に配置される。開閉弁は、電磁弁等からなるが、特に電磁弁でなくてもよく限定されない。水源としては、水道が好適に利用されるが、タンクのような貯水部（ポンプの有無は不問）であってもよい。洗浄水供給部は、制御部により制御されて、洗浄水の供給の開始、停止を行う。
【００２３】
第一実施形態では、便器装置１はさらに、図示しないが、給水路の途中に機能部を備えている。機能部として、給水路を流れる洗浄水に、吸気管を介して空気を混入させて微細気泡を発生させる微細気泡発生部が設けられている。また、機能部として、給水路を流れる洗浄水に洗剤を混入させる洗剤供給部が設けられている。微細気泡発生部および洗剤供給部により、マイクロメータサイズの微細気泡を含む洗剤入りの洗浄水が吐出可能となる。なお、微細気泡発生部や洗剤供給部の代わりに別の機能部が設けられてもよいし、また機能部が設けられなくてもよい。
【００２４】
第一実施形態では、便器装置１は、図４に示すように、外殻となるケーシング１０を備えている。ケーシング１０の下部の前部をなすスカート部１１内に、ボウル部２が設けられている。また、ケーシング１０の下部の後部をなすサイドカバー１２およびリアカバー（不図示）内に、可動トラップ３のハウジング４が設けられている。また、ケーシング１０の上部の前部をなす便蓋１３内に、ボウル部２上に起倒可能に載置される便座（不図示）が収容されている。また、ケーシング１０の上部の後部をなす機器ケース１４内に、制御部や、各種設定を行う設定部等（不図示）が収容されている。
【００２５】
便器装置１は、使用されない時には、図１に示すように、可動トラップ３の下流端３１が上位置６０（図６参照）に位置して、排出口３０が上を向く状態となり、ボウル部２内および可動トラップ３内に溜水が形成される封水状態となる。なお、可動トラップ３の下流端３１の位置とは、下流端３１の排出口３０の中央部の位置をいうものとする。
【００２６】
便器装置１は、使用されてボウル部２内の汚物を排出する時には、図５に示すように、後述する排出工程中に、可動トラップ３の下流端３１が下位置６４（図６参照）に位置し、排出口３０が下を向く状態となる。これにより、ボウル部２内の水および汚物がボウル部２外に排出される。
【００２７】
排出工程は、下降工程、下保持工程、上昇工程を有している。
【００２８】
下降工程は、図１に示す状態において、洗浄水供給部による洗浄水の供給が開始される。下降工程では、可動トラップ３の下流端３１の排出口３０が図１に示す上位置６０から図５に示す下位置６４にかけて移動する。なお、上位置６０および下位置６４は、所定の範囲内に収まればよく、実用上支障ない程度の誤差を生じてもよい。また、洗浄水の供給の開始は、可動トラップ３の下流端３１の下降の開始よりも前に行われてもよいし、可動トラップ３の下流端３１の下降の開始よりも後または下降の開始と同時に行われてもよい。
【００２９】
下保持工程では、図５に示すように、可動トラップ３の下流端３１の排出口３０が所定の持続時間、下位置６４に保持される。これにより、汚物の排出が行われる。
【００３０】
上昇工程では、可動トラップ３の下流端３１の排出口３０が図５に示す下位置６４から図１に示す上位置６０にかけて移動する。上昇工程では、洗浄水供給部による洗浄水の供給が停止される。なお、洗浄水の供給の停止は、可動トラップ３の下流端３１の上昇の停止の前に行われてもよいし、可動トラップ３の下流端３１の上昇の停止よりも後または上昇の停止と同時に行われてもよい。
【００３１】
また、第一実施形態では、ボウル部２へ供給する洗浄水の単位時間当たりの供給流量を計測する流量計測部（不図示）を備えている。流量計測部としては、既存の様々な形態のものが適宜利用可能である。さらに第一実施形態では、洗浄水供給部による洗浄水の供給時間を計測するタイマー（不図示）が設けられる。タイマーは、第一実施形態では制御部が一機能として内蔵するが、既存の様々な形態のものが適宜利用可能であり、限定されない。流量計測部により計測される供給流量と、タイマーにより計測される供給時間とから、ボウル部２に供給される積算流量が算出される。これにより、ボウル部２に所定量の溜水が形成される。なお、このような流量計測部およびタイマーは、設けられなくてもよい。
【００３２】
次に、可動トラップ３とハウジング４の位置関係について説明する。
【００３３】
可動トラップ３の下流端３１は、図６に示すように、上位置６０と下位置６４との間で連続する中間位置と、に亘る所定の軌跡６上を移動可能である。
【００３４】
第一実施形態では、所定の軌跡６（経路）は、図６に示すように、側方視において後方Ｂに凸となる形状をしている。側方視において後方Ｂに凸となる形状は、滑らかな曲線からなるものが好ましく、円弧状が特に好ましいが、形状は特に限定されない。第一実施形態では、所定の軌跡６は、後方Ｂに凸となる概ね円弧状をしている。そして、可動トラップ３が水平をなすときの下端部の位置を水平位置６３とする。
【００３５】
所定の軌跡６のうち、上位置６０を含む部分を第一軌跡範囲６１とし、第一軌跡範囲６１と連続する部分を第二軌跡範囲６２とする。
【００３６】
第一実施形態では、図６に示すように、上位置６０は、所定の軌跡６の水平方向（所定の軌跡６の中心６５から水平位置６３を向く方向）に対して、所定の軌跡６における中心角で４５°〜９０°（特に第一実施形態では概ね６０°）上側の所定の角度（または角度範囲）の位置をいうものとする。また、第一軌跡範囲６１は、上位置６０から、所定の軌跡６における中心角で３０°〜４０°（特に第一実施形態では概ね４０°）水平より上側の所定の角度までの範囲をいうものとする。また、第二軌跡範囲６２は、所定の軌跡６における中心角で３０°〜４０°（特に第一実施形態では概ね４０°）水平より上側の所定の角度から、中心角で０°〜４５°（特に第一実施形態では概ね２０°）水平より下側の所定の角度までの範囲をいうものとする。なお、上記角度数値は第一実施形態におけるものであるが、このような数値に限定されない。
【００３７】
ハウジング４は、図６に示すように、上流開口４ａおよび下流開口４ｂが設けられる部分を除いて内面を有する。以下、ハウジング４の内面については、所定の軌跡６に対向する内面４０をいうものとする。
【００３８】
図６に示すように、ハウジング４の内面４０において、第一軌跡範囲６１と対向する部分を第一内面範囲４１とし、第二軌跡範囲６２に沿って第二軌跡範囲６２と対向する部分を第二内面範囲４２とする。
【００３９】
第一内面範囲４１は、第一軌跡範囲６１との距離が第一距離範囲内となる第一隙間７１を有する。第二内面範囲４２は、第二軌跡範囲６２との距離が第二距離範囲内となる第二隙間７２を有する。
【００４０】
ここで、第二隙間７２の距離のとりうる範囲である第二距離範囲は、ボウル部２内の所定の大きさ以上の汚物の通過を抑制する上限値を有する。ここで、上限値となる、ボウル部２内の所定の大きさ以上の汚物の通過を抑制する距離とは、直径φ１０ｍｍ以上の汚物の通過を概ね抑制し、直径φ１０ｍｍ未満の汚物の通過を概ね許容する距離（すなわち概ね１０ｍｍ）である。なお、前記数値は第一実施形態におけるものであり、このような数値に限定されないが、ボウル部２内の所定の大きさ以上の汚物の通過を抑制する距離は概ね５ｍｍ〜１５ｍｍに設定される。
【００４１】
第一実施形態では、第二隙間７２の距離のとりうる範囲である第二距離範囲は、可動トラップ３とハウジング４との当接を抑制する下限値を有している。ここで、下限値となる、可動トラップ３とハウジング４との当接を抑制する距離とは、可動トラップ３およびハウジング４の製造誤差や組立誤差、洗浄水や汚物の量、洗浄水および汚物の流れ方等により、可動トラップ３の下流端３１とハウジング４の内面４０との距離がばらついて近接しても、当接しない余裕（遊び）を考慮して設定される。第一実施形態では、下限値は４ｍｍであるが、このような数値に限定されないものであり、概ね３ｍｍ〜５ｍｍに設定される。なお、このような第二隙間７２の距離の下限値（第二距離範囲の下限値）は、遊びを考慮しないならば特に設定されなくてもよい。また、可動トラップ３の下流端３１とハウジング４の内面４０との摺動抵抗を低減させることで、第二隙間７２の距離を０ｍｍとしてもよい。
【００４２】
また、第一実施形態では、第一隙間７１の距離のとりうる範囲である第一距離範囲は、第二距離範囲の上限値よりも大きい範囲としている。すなわち、第一隙間７１にあっては、汚物の通過を抑制することは考慮されず、ボウル部２に溜水が形成されている時に可動トラップ３の下流端３１から溢れるオーバーフロー水の通路を確保するものである。このため、第一距離範囲は、少なくとも第二距離範囲の上限値よりも大きい範囲に設定される。なお、オーバーフロー水の通路の確保の観点からは、第一距離範囲は大きい方がよいが、便器装置の小型化の観点からは小さい方がよく、両方の観点から最適な範囲が定まる。なお、第一隙間７１の距離が第二距離範囲の上限値よりも大きくなくてもよく、隙間（＞０ｍｍ）があればよい。
【００４３】
図７に示すように、第二隙間７２の距離が、所定の大きさ以上の汚物８の通過を抑制できない程大きい場合、排出口３０から排出されてしまった汚物８が可動トラップ３の下流端３１とハウジング４の内面４０との間に挟まってしまう。汚物８が可動トラップ３の下流端３１とハウジング４の内面４０との間に挟まると、可動トラップ３の移動がロックされてしまい、排水等が不可能となり、駆動部５等の故障の原因となる。
【００４４】
これに対して、第一実施形態の便器装置１にあっては、ハウジング４の第二内面範囲４２が、可動トラップ３の下流端３１の排出口３０から汚物が排出されないようにする汚物押さえ部として機能する。これにより、可動トラップ３の下流端３１とハウジング４の内面４０との間に汚物が挟まり難く、排水等が不可能となったり、駆動部５等の故障の原因となったりするのが抑制されるものである。
【００４５】
以上のように、便器装置１は、ボウル部２と、排出口３０が設けられる下流端３１が上下移動可能となり上流端にてボウル部２内と連通する可動トラップ３と、可動トラップ３を収容するハウジング４と、を備える。可動トラップ３の下流端３１は、ボウル部２内への溜水を可能とする上位置６０と、ボウル部２内からの排水を可能とする下位置６４と、上位置６０と下位置６４との間で連続する中間位置と、に亘る所定の軌跡６上を移動可能である。ハウジング４の内面４０は、所定の軌跡６のうちの上位置６０を含む第一軌跡範囲６１と対向する第一内面範囲４１において、第一軌跡範囲６１との距離が第一距離範囲内となる第一隙間７１を有する。ハウジング４の内面４０は、所定の軌跡６のうちの第一軌跡範囲６１と連続する第二軌跡範囲６２と対向する第二内面範囲４２において、第二軌跡範囲６２との距離が第二距離範囲内となる第二隙間７２を有する。第二距離範囲は、ボウル部２内の所定の大きさ以上の汚物の通過を抑制する上限値と、可動トラップ３とハウジング４との当接を抑制する下限値とを有する。第一距離範囲は、第二距離範囲の上限値よりも大きい範囲である。
【００４６】
これにより、可動トラップ３の下流端３１とハウジング４の内面４０との間に汚物が挟まり難くなる。
【符号の説明】
【００４７】
１    便器装置
２    ボウル部
３    可動トラップ
３０  排出口
３１  下流端
４    ハウジング
４０  内面
４１  第一内面範囲
４２  第二内面範囲
６    所定の軌跡
６０  上位置
６１  第一軌跡範囲
６２  第二軌跡範囲
６４  下位置
７１  第一隙間
７２  第二隙間
【図１】
2016098632.tif 000003
【図２】
2016098632.tif 000004
【図３】
2016098632.tif 000005
【図４】
2016098632.tif 000006
【図５】
2016098632.tif 000007
【図６】
2016098632.tif 000008
【図７】
2016098632.tif 000009